(57)【要約】【課題】時計のスイッチ構造に汎用性を持たせる。【解決手段】長手方向の一端部にプッシュボタン接点部、他端部に回路との接点となる回路基板引っ掛け爪、中間部には支点となるボスと係合する部分を有し、さらに短手方向下部には回路基板に係合する凹部を形成したスイッチバネと、外装かモジュールに設けた柱状のボスと、引っ掛け爪と係合する穴を有する回路基板と、プッシュボタンで構成される時計のスイッチ構造であって、回路基板の引っ掛け爪と係合する穴にスイッチバネの回路基板引っ掛け爪が係合し、スイッチバネの中間部がボスと係合し、スイッチバネのプッシュボタン接点部がプッシュボタンを押圧するように係合すると共に、短手方向下部の凹部が回路基板と係合する時計のスイッチ構造とする。【選択図】      図４
2004309271.tif 000002
【特許請求の範囲】
【請求項１】
少なくとも、
長手方向の一端部にプッシュボタン接点部、他端部に回路との接点となる回路基板引っ掛け爪、中間部には支点となるボスと係合する部分を有し、さらに短手方向下部には回路基板に係合する凹部を形成したスイッチバネと、
外装かモジュールに設けた柱状のボスと、
引っ掛け爪と係合する穴を有する回路基板と、
プッシュボタンで構成される時計のスイッチ構造であって、
回路基板の引っ掛け爪と係合する穴にスイッチバネの回路基板引っ掛け爪が係合し、スイッチバネの中間部がボスと係合し、スイッチバネのプッシュボタン接点部がプッシュボタンを押圧するように係合すると共に、短手方向下部の凹部が回路基板と係合することを特徴とする時計のスイッチ構造。
【発明の詳細な説明】
【０００１】
【発明の属する技術分野】
本発明は時計のスイッチ構造に関するものである。
【０００２】
【従来の技術】
プッシュボタンを押し出す機能を持つスイッチバネは、その押し出し力の確保と安定化の為、また部品点数削減の為に、モジュールのベースになる板支持板などのプレス部品上に形成される場合が多い。その為、外形及びスイッチ位置が異なる機種ごとに専用のスイッチバネを設計する必要があった。
【０００３】
図１は従来技術による時計のスイッチバネ構造で平面図と側面図ある。モジュール自体ベース部品である地板支持板１の一部にスイッチバネ２を形成し、スイッチバネを２しっかり固定させることにより、プッシュボタン（不図示）の押し出し力を安定して確保出来る構造になっている。しかしこの場合、スイッチバネ２はその時計固有の形状になり、スイッチバネ２を他の時計で共通使用が出来ない。
【０００４】
図２も従来技術による時計のスイッチバネ構造で平面図ある。１１は基板押さえ、１２は時計本体、１３は電子回路（不図示）につらなるスイッチパターン１３ａを有する基板であり、１４はねじである。基板押さえ１１は時計本体１２に基板１３を押さえるように、ねじ穴部（Ａ）１１ａで、ねじ１４によりねじ止めされている。また１５はスイッチボタンであり、スイッチボタン１５を押すと前記基板押さえ１１のバネ部１１ｄが押され、前記基板１３のスイッチパターン１３ａと電気的に導通し、時計が操作されるようになっている。基板押さえ１１をねじ止めする位置をねじ穴部（Ｂ）１１ｂ、ねじ穴部（Ｃ）１１ｃと変えることにより、バネ部１１ｄの位置が移動するので複数のスイッチ位置を確保できる構スイッチバネ構造である。（例えば特許文献１参照）
【０００５】
ＯＮ／ＯＦＦ用の長めの電極パターンを配置したフレキシブル基板を配置する事により、ケースのスイッチボタン位置の自由度を向上させている。この場合、ケースのスイッチボタンに戻しバネが必要であり、また、フレキシブル基板が必要でコストＵＰにつながる。（例えば特許文献２参照）
【０００６】
回路支持板によりムーブメントに締結されたスイッチバネのバネ部をムーブメント上部に平面的に平板状に配置し、更に、  スイッチ部先端付近をスイッチバネを構成している部材の下側に配置している。この構造をとることにより、小型ムーブメントやムーブメント外周部の平面及び断面図ペースに制約がある場合でも十分なバネ特性を有する小型スイッチバネ形状を得る事が出来る。しかしこの場合、スイッチバネはムーブメントに締結されている為キャリバー固有のスイッチバネになり、汎用性が得られない。（例えば特許文献３参照）
【０００７】
時計中心と３時方向及びケースのスイッチボタンからなる角度と時計中心からスイッチボタンに向かう直線と垂直な線と、スイッチバネ先端の直線からなる角度と、１２時６時方向を結ぶ直線とスイッチバネ先端の直線からなる角度を２：１：１にする事により、ケースのスイッチボタン角度を３時９時方向に平行及び原点からケーススイッチボタン先端を結ぶ直線に平行にした場合でも、安定したスイッチ操作状態を得る構造である。この場合も、スイッチバネはムーブメントに締結されていることから、キャリバー固有のスイッチバネになってしまい汎用性が得られない。（例えば特許文献４参照）
【０００８】
【特許文献１】
実開平５−９２７９００号公報
【特許文献２】
特開２０００−２６６８７５号公報
【特許文献３】
特開平８−２０３３７５号公報
【特許文献４】
実開平４−１１８５３１号公報
【０００９】
【発明が解決しようとする課題】
図１の構造では、スイッチバネがモジュールのベース部品の一部に形成されている為、スイッチバネ部の他の時計への転用が出来ず、時計の機種毎に金型を起こす必要がある。図２の構造は複数のスイッチ位置を確保できるがモジュールの大きさが変わると転用できない点では図１と同様である。
【００１０】
従来技術による時計のスイッチ構造は汎用性がなく、時計の大きさや構造が変わるとその都度スイッチ構造を設計し、信頼性等の確認をしなければならなかった。
【００１１】
【課題を解決するための手段】
長手方向の一端部にプッシュボタン接点部、他端部に回路との接点となる回路基板引っ掛け爪、中間部には支点となるボスと係合する部分を有し、さらに短手方向下部には回路基板に係合する凹部を形成したスイッチバネと、
外装かモジュールに設けた柱状のボスと、
引っ掛け爪と係合する穴を有する回路基板と、
プッシュボタンで構成される時計のスイッチ構造であって、
回路基板の引っ掛け爪と係合する穴にスイッチバネの回路基板引っ掛け爪が係合し、スイッチバネの中間部がボスと係合し、スイッチバネのプッシュボタン接点部がプッシュボタンを押圧するように係合すると共に、短手方向下部の凹部が回路基板と係合する時計のスイッチ構造とする。
【００１２】
【発明の実施の形態】
図３は本発明に使用するスイッチバネの一実施形態を示す図で、（ａ）は上面図、（ｂ）は正面図、（ｃ）は左側面図、（ｄ）は展開図である。スイッチバネ２０は平板を加工したものであり、長手方向の一端部にプッシュボタン接点部２１、他端部に回路との接点となる回路基板引っ掛け爪２２、中間部２３には支点となるボスと係合する部分を有し、さらに短手方向下部には回路基板に係合する凹部２４を形成してある。
【００１３】
図４は本発明による時計のスイッチ構造の一実施形態を示す図で、上面図であり、図５は図４のＡ−Ａ断面図、図６は図４のＢ−Ｂ断面図である。Ｌ字型に形成したスイッチバネ２０の中間部２３を、時計ケース３０の内側に形成した円柱状のスイッチ支持ボス３１に係合させ、回路との接点となる回路基板引っ掛け爪２２を回路基板３２の穴３３に係合させる。もう片方のスイッチバネ先端のプッシュボタン接点部２１をプッシュボタン軸３４ａに係合させる。スイッチバネ２０は、プッシュボタン３４を時計ケース３０の外方向に押出す作用をする形状としてある。図５に示すように、スイッチバネ２０の短手方向下部に形成されている凹部２４は回路基板３２の上面と係合し、スイッチバネ２０の位置決めをするとともに、回路基板引っ掛け爪２２と協働してスイッチバネ２０の倒れを防止している。
【００１４】
回路基板引っ掛け爪２２は回路基板３２に形成された電極（不図示）との接点の役割を果しており、スイッチバネ２０はＶＤＤの電位になっいる。プッシュボタン３４を押し込むと、スイッチバネ２０のプッシュボタン接点部２１が回路基板３２に形成されている電極３５に接触しスイッチング動作がなされる。前記穴３３はスルーホールでも良いことは言うまでもない。
【００１５】
図７は本発明の他の実施形態である時計のスイッチ構造を示す断面図である。表示装置４２は液晶表示装置であり、本発明に係わる柱状ボス４１をモジュールの構成部品である液晶セル支持枠４０に設けた例であり、その他の構造は前述の実施形態と同じである。
【００１６】
【発明の効果】
スイッチバネが独立した部品で構成されるスイッチ構造であり、小さく簡単なスイッチ構造が実現できるため、時計のモデルチェンジが発生してもスイッチバネが共通に使用でき、開発費用の節約及び開発期間の短縮が可能となる。
【００１７】
時計のスイッチ構造に汎用性があるため、時計の新機種立ち上げ時にスイッチ部の構造を転用でき、立ち上げ時の問題が発生しない。転用する場合に使用実績があるためスイッチ性能の信頼性等の評価を省略することが出来きる。
【図面の簡単な説明】
【図１】従来技術による時計のスイッチバネ構造で平面図と側面図
【図２】従来技術による時計のスイッチバネ構造で平面図
【図３】本発明に使用するスイッチバネの一実施形態を示す図で、（ａ）は上面図、（ｂ）は正面図、（ｃ）は左側面図、（ｄ）は展開図
【図４】本発明による時計のスイッチ構造の一実施形態を示す図
【図５】図４のＡ−Ａ断面図
【図６】図４のＢ−Ｂ断面図
【図７】本発明の他の実施形態である時計のスイッチ構造を示す断面図
【符号の説明】
１    地板支持板
２    スイッチバネ
１１    基板押さえ
１１ａ  ねじ穴部
１１ｂ  ねじ穴部
１１ｃ  ねじ穴部
１１ｄ  バネ部
１２    時計本体
１３    基板
１３ａ  スイッチパターン
１４    ねじ
１５    スイッチボタン
２０    スイッチバネ
２１    プッシュボタン接点部
２２    引っ掛け爪
２３    中間部
２４    凹部
３０    時計ケース
３１    スイッチ支持ボス
３２    回路基板
３３    穴
３４    プッシュボタン
３４ａ  プッシュボタン軸
３５    電極
４０    液晶セル支持枠
４１    ボス
４２    表示装置
【図１】
2004309271.tif 000003
【図２】
2004309271.tif 000004
【図３】
2004309271.tif 000005
【図４】
2004309271.tif 000006
【図５】
2004309271.tif 000007
【図６】
2004309271.tif 000008
【図７】
2004309271.tif 000009